(57)【要約】【課題】乾燥対象物の湿りの程度に応じて乾燥運転が適正時間に亘り実行され、無駄な乾燥運転を行うことがない浴室乾燥機の提供。【解決手段】換気ファン１４ｂを作動させると共に、循環ファン１４ａを作動させて循環ファン１４ａによって機器本体９内に取り込まれた空気を加熱部１３により加熱する乾燥運転の実行中に、換気ファン１４ｂを停止すると共に、循環ファン１４ａの作動及び加熱部１３による加熱を継続する、湿度検出用循環加熱運転を実行し、湿度検出用循環加熱運転の実行中における、湿度検出手段２７によって検出された湿度の上昇速度が所定の上昇速度以下であると判定したときに、時間表示部３１への、乾燥運転の残時間の表示を開始し、その後、残時間に亘り前記乾燥運転を実行する。【選択図】図１
2015188458.tif 000002
【特許請求の範囲】
【請求項１】
浴室に設置された機器本体内に空気を流入させ、機器本体内に流入した空気を屋外に排出させる換気ファンと、
前記機器本体内に空気を流入させ、機器本体内に流入した空気を噴出し口を通して吹き出させる循環ファンと、
前記機器本体内に設けられ前記循環ファンによって機器本体内に取り込まれた空気を加熱する加熱部と、
機器本体内に流入した空気の湿度を検出する湿度検出手段と、
時間表示部と、を備えた浴室乾燥機であって、
前記換気ファンを作動させると共に、前記循環ファンを作動させて前記循環ファンによって機器本体内に取り込まれた空気を前記加熱部により加熱する乾燥運転の実行中に、
前記換気ファンを停止すると共に、前記循環ファンの作動及び前記加熱部による加熱を継続する、湿度検出用循環加熱運転を実行し、
前記湿度検出用循環加熱運転の実行中における、前記湿度検出手段によって検出された湿度の上昇速度が所定の上昇速度以下であると判定したときに、
前記時間表示部への、乾燥運転の残時間の表示を開始し、その後、前記残時間に亘り前記乾燥運転を実行することを特徴とする浴室乾燥機。
【請求項２】
請求項１記載の浴室乾燥機において、前記換気ファン停止中における、所定期間の終了時の前記湿度検出手段による検出湿度と、前記所定期間の開始時の前記湿度検出手段による検出湿度との差が所定の判定値以下のときに、前記上昇速度が所定の上昇速度以下であると判定するものとする浴室乾燥機。
【請求項３】
前記時間表示部への、乾燥運転の残時間の表示を開始した後に、前記湿度検出用循環加熱運転を実行して、前記湿度検出手段によって検出された湿度の上昇速度が前記所定の上昇速度より大きいと判定したときには、その後、前記湿度検出用循環加熱運転を繰り返し行い、繰り返し行なった前記湿度検出用循環加熱運転中において、前記湿度検出手段によって検出された湿度の上昇速度が所定の上昇速度以下であると判定した時点で、前記時間表示部への、乾燥運転の残時間の更新表示を行なうことを特徴とする請求項１または２に記載の浴室乾燥機。
【発明の詳細な説明】
【技術分野】
【０００１】
本発明は、浴室を衣類等を乾燥させる乾燥室として機能させることができる浴室乾燥機に関するものである。
【背景技術】
【０００２】
従来より、浴室内にて衣類乾燥させる浴室乾燥機が知られている（例えば、特許文献１参照）。
【０００３】
このような浴室乾燥機では、送風乾燥運転中に少なくとも一回以上所定時間、熱源機を動作させる温風乾燥運転を行い、この温風乾燥運転の前後の湿度α１、α２を湿度センサで検知し、温風乾燥運転後の湿度α２が温風乾燥運転前の湿度α１より低い場合に、温風乾燥運転を引き続き一定時間行う仕上げ乾燥運転へ移行するように制御するものである。
【先行技術文献】
【特許文献】
【０００４】
【特許文献１】特開２０１３−００５８７３号公報
【発明の概要】
【発明が解決しようとする課題】
【０００５】
上記特許文献１に示される従来例にあっては、電気代を節約するために、送風のみでの乾燥運転を中心として浴室内の乾燥を行い、温風による仕上げ乾燥運転を行う正エネルギ性に配慮されたものである。しかし、温風による仕上げ乾燥運転を行う時間が、第１、第２の予備温風乾燥運転を行ったときの湿度検出手段による検出湿度に基づいて決定されるものであるから、浴室内の乾燥の程度に応じて適切に設定されないおそれがある。
【０００６】
つまり、予備温風乾燥運転を行うときには換気ファンの駆動によって浴室内に外気が流入するため、浴室内の乾燥の程度とは関連が小さい外気と浴室内の空気とが混合した空気の湿度によって温風による仕上げ乾燥運転を行う時間が決定されることになり、温風による仕上げ乾燥運転を行う時間が、浴室内の乾燥の程度に応じて適切に設定されない場合がある。
【０００７】
本発明は上記の事情に鑑みてなされたものであって、その目的とするところは、衣類や浴室内の乾燥対象物の湿りの程度に応じて乾燥運転が適正時間に亘り実行され、無駄な乾燥運転を行うことがなく消費エネルギが余分に消費されることがなく、これにより乾燥運転のためのランニングコストが節約できて、しかも良好に乾燥することが可能な浴室乾燥機を提供することにある。
【課題を解決するための手段】
【０００８】
前記の課題を解決するために、本発明は、浴室に設置された機器本体内に空気を流入させ、機器本体内に流入した空気を屋外に排出させる換気ファンと、前記機器本体内に空気を流入させ、機器本体内に流入した空気を噴出し口を通して吹き出させる循環ファンと、前記機器本体内に設けられ前記循環ファンによって機器本体内に取り込まれた空気を加熱する加熱部と、機器本体内に流入した空気の湿度を検出する湿度検出手段と、時間表示部と、を備えた浴室乾燥機で、前記換気ファンを作動させると共に、前記循環ファンを作動させて前記循環ファンによって機器本体内に取り込まれた空気を前記加熱部により加熱する乾燥運転の実行中に、前記換気ファンを停止すると共に、前記循環ファンの作動及び前記加熱部による加熱を継続する、湿度検出用循環加熱運転を実行し、前記湿度検出用循環加熱運転の実行中における、前記湿度検出手段によって検出された湿度の上昇速度が所定の上昇速度以下であると判定したときに、前記時間表示部への、乾燥運転の残時間の表示を開始し、その後、前記残時間に亘り前記乾燥運転を実行することを特徴とする。
【０００９】
このような構成とすることで、湿度検出用循環加熱運転の実行中において、換気ファンの駆動を停止して、浴室内の乾燥の程度とは関連が小さい外気が浴室内に流入しないようにして、浴室内の乾燥の程度とは関連が小さい外気の影響を受けにくい状態で、湿度検出手段によって検出されることになり、浴室内の湿度に応じて、乾燥運転の残時間の表示を開始し、その後、前記残時間に亘り前記乾燥運転を実行することができるから、衣類や室内などの乾燥対象物の湿りの程度に応じて乾燥運転が適正時間に亘り実行され、無駄な乾燥運転を行うことがなく消費エネルギが余分に消費されることがなく、これにより乾燥運転のためのランニングコストが節約できて、しかも良好に乾燥することが可能な浴室乾燥機とすることが可能となる。
【００１０】
また、前記換気ファン停止中における、所定期間の終了時の前記湿度検出手段による検出湿度と、前記所定期間の開始時の前記湿度検出手段による検出湿度との差が所定の判定値以下のときに、前記上昇速度が所定の上昇速度以下であると判定するものとすることが好ましい。この場合、上記の効果に加え、換気ファン停止中における、所定期間の終了時の湿度検出手段による検出湿度と、所定期間の開始時の湿度検出手段による検出湿度との差を求めることで、簡単に湿度の上昇速度が測定できる。
【００１１】
また、前記時間表示部への、乾燥運転の残時間の表示を開始した後に、前記湿度検出用循環加熱運転を実行して、前記湿度検出手段によって検出された湿度の上昇速度が前記所定の上昇速度より大きいと判定したときには、その後、前記湿度検出用循環加熱運転を繰り返し行い、繰り返し行なった前記湿度検出用循環加熱運転中において、前記湿度検出手段によって検出された湿度の上昇速度が所定の上昇速度以下であると判定した時点で、前記時間表示部への、乾燥運転の残時間の更新表示を行なうことが好ましい。この場合、上記の効果に加え、例えば、浴室内に、濡れた洗濯物などが追加された場合にも、洗濯物や、浴室などの乾燥が不充分になってしまうことが抑制される。
【発明の効果】
【００１２】
本発明によれば、衣類や室内などの乾燥対象物の湿りの程度に応じて乾燥運転が適正時間に亘り実行され、無駄な乾燥運転を行うことがなく消費エネルギが余分に消費されることがなく、これにより乾燥運転のためのランニングコストが節約できて、しかも良好に乾燥することが可能な浴室乾燥機とすることが可能となる。また、本発明によれば、簡単に湿度の上昇速度が測定できる。また、本発明によれば、浴室内に、濡れた洗濯物などが追加された場合にも、洗濯物や、浴室などの乾燥が不充分になってしまうことが抑制される。
【図面の簡単な説明】
【００１３】
【図１】本発明の一実施形態に用いる浴室乾燥機の一例を示す縦断面図である。
【図２】同上の浴室乾燥機の内部の配管を説明する管路図である。
【図３】同上の浴室乾燥機を浴室に設置した状態の斜視図である。
【図４】同上の制御部のブロック図である。
【図５】同上の脱衣所用の操作器の正面図である。
【図６】同上の浴室用の操作器の正面図である。
【発明を実施するための形態】
【００１４】
以下、本発明を添付図面に示す実施形態に基づいて説明する。
【００１５】
図１〜図３に示すように本発明の浴室乾燥機は、ユニットバス等の浴室２に設置されるミスト機能付浴室暖房乾燥機（以下、単に「浴室暖房乾燥機Ａ」という）で構成されている。この浴室暖房乾燥機Ａは浴室２内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧すると共に温風を吹き出すミストサウナ浴、を実行する機能を有する。
【００１６】
また浴室暖房乾燥機Ａの浴室２への設置に関し、図３に示すように、浴槽７の上方の位置で浴室２の天井８に浴室暖房乾燥機Ａを設置してある。浴室暖房乾燥機Ａの本体９は天井裏に配置してあり、吊り金具１０にて天井スラブ等に吊り支持し、本体９の下面を浴室２の天井８の開口部１１に臨ませてある。天井８の下面には開口部１１を覆うグリル板１２（図１）を配置してあり、グリル板１２を本体９の下面側に取り付けてある。
【００１７】
図２に示すように、本体９内には、温風用熱交換器１３や送風機１４を内装してある。この温風用熱交換器１３は内部に温水を通すことで外部を流れる空気、つまり浴室２内に送り込まれる空気と温水とを熱交換して、空気を加熱するもので、この温風用熱交換器１３は本体９に配管した暖房用温水管路１５の途中に配置してあり、暖房用温水管路１５には給湯暖房機等の熱源機１６（図３）から温水が供給される。暖房用温水管路１５には温風用熱交換器１３への温水の供給を開閉する熱動弁１７を設けてあり、暖房用温水管路１５にはこの管路を流れる温水の温度を検出する暖房温水サーミスタＴＨ２を配設してある。
【００１８】
図１に示すように、送風機１４には、浴室内空気を循環させる浴循環ファン１４ａと、浴室内空気を外部へ排出する換気ファン１４ｂとがある。図１中の５０は逆風止めである。また本体９の下面側には循環ファン１４ａで送風される空気を浴室内に吹き出す吹き出し口３を設けてあり、この吹き出し口３には可動ルーバー１８を回動自在に装着してあり、可動ルーバー１８を回動することにより吹き出し口３の開閉、および、吹き出し口３から吹き出す風向の変更が可能にしてある。グリル板１２には浴室２内に空気を吸い込む吸い込み口１を設けてあり、この吸い込み口１の近傍に浴室温度サーミスタＴＨ３を配設してある。
【００１９】
また浴室暖房乾燥機Ａには、ミスト浴の機能を具備するためにミスト発生部１９を組み込んである。ミスト発生部１９のミストノズル４はグリル板１２の一部に配置してあり、ミスト用給水管路２０がミストノズル４に連通する。図２に示すように、このミストノズル４として、２個のミストノズル４ａ，４ｂがあり、各ミストノズル４ａ，４ｂは０．５リットル／ｍｉｎ程度の流量で温水のミストを噴霧する。ミストノズル４ａ，４ｂの手前には電磁弁等で構成されるミスト開閉弁２１ａ，２１ｂを設けてあり、ミスト開閉弁２１ａ，２１ｂの開閉にてミストノズル４ａやミストノズル４ｂから選択的に温水のミストが噴霧される。２つのミストノズル４ａ，４ｂから温水のミストを噴霧すると、強のミスト量でミストを噴霧し、一方のミストノズル４ａ又はミストノズル４ｂから温水のミストを噴霧すると、弱のミスト量で噴霧するように構成される。本例の場合、ミスト発生部１９は本体９の上に搭載してある。
【００２０】
ミスト用給水管路２０には、水道水、いわゆる上水が供給され、入口側から順にストレーナ２２、給水電磁弁２３を設けてある。上記暖房用温水管路１５には温風用熱交換器１３と並列になるようにミスト加熱用管路２４を設けてあり、このミスト加熱用管路２４にはミスト加熱用管路２４を流れる温水の流れを制御する比例弁２５を設けてある。またミスト加熱用管路２４とミスト用給水管路２０との間には液―液熱交換器で構成されるミスト用熱交換器２６を配設してあり、ミスト加熱用管路２４を流れる温水でミスト用給水管路２０を流れるミスト用の水を加熱するようになっている。ミスト用給水管路２０におけるミスト用熱交換器２６とミスト開閉弁２１ａ，２１ｂとの間には、ミスト用給水管路２０を流れる温水の温度を検出するミスト温度サーミスタTH１を配設してある。
【００２１】
また浴室暖房乾燥機Ａは、図３に示すように、浴室２外の脱衣所に設けた操作器５や浴室２内に設けた操作器３０にてリモコン操作される。図５に示すように、脱衣所用の操作器５には、タイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９を設けてある。図６に示すように、浴室用の操作器３０には、状態表示部４０、ミストサウナスイッチ３４、ミストスイッチ４１、温度設定スイッチ４２、暖房スイッチ３６、涼風スイッチ３７、風向スイッチ３３、ミスト入浴時間計測用のストップウォッチのスタート／ストップスイッチ４３、リセットスイッチ４５、停止スイッチ３９を設けてある。
【００２２】
図４は浴室暖房乾燥機Ａの制御部Ｂの一例を示す。制御部Ｂには、メモリ２８、演算回路２９等が内蔵され、上記操作器５や操作器３０をリモコン操作することで制御部Ｂにて以下のように制御できる。
【００２３】
以下、本発明の乾燥運転を説明する。
本実施形態では、グリル板１２の吸い込み口１近傍に、吸気の湿度を検知する湿度検出手段２７（図１、図２）を配設してある。湿度検出手段２７としては、例えば、ＮＴＣサーミスタ等の感温素子で構成された湿度センサ２７ａを用いてある。湿度センサ２７ａは、吸気と接するように開放された湿度測定用素子と密閉ケースに密封された温度補正用素子とを一体に備え、吸気の湿度が変化すると、湿度測定用素子の熱伝導率が変化することで、両素子の出力値に差が生じ、この差に応じて絶対湿度値を測定するものである。
【００２４】
脱衣所用の操作器５の乾燥スイッチ６（図５）を押し操作することで乾燥運転が開始でき、この操作により、乾燥[エコ]ランプ３５が点灯し、乾燥運転を開始する。乾燥運転を開始すると、換気ファン１４ｂを作動させ、循環ファン１４ａを作動させて循環ファン１４ａによって機器本体内に取り込まれた空気を温風用熱交換器（加熱部）１３により加熱する。
【００２５】
乾燥運転開始後、時間Ｔ１（例えば２５分）が経過したかどうかが判定され）、Ｔ１経過していた場合、以下の、湿度検出用循環加熱運転を実行する。
【００２６】
湿度検出用循環加熱運転では、換気ファン１４ｂを停止すると共に、循環ファン１４ａの作動及び温風用熱交換器（加熱部）１３による加熱は継続する。
【００２７】
そして、湿度検出用循環加熱運転の実行中に、湿度検出手段２７によって検出された湿度の上昇速度が所定の上昇速度以下であると判定したとき、それまで表示されていなかった、タイマー表示部（時間表示部）３１への、乾燥運転の残時間の表示を開始して、その後、時間の経過とともにタイマー表示部（時間表示部）３１に表示した残時間のカウントダウンを行い、タイマー表示部（時間表示部）３１に表示した残時間がゼロになるまで乾燥運転を継続する。
【００２８】
本実施形態では、湿度検出用循環加熱運転中の換気ファン１４ｂの停止中における、所定期間（例えば７分）の開始時の湿度検出手段２７による検出湿度Ｈ１とこの所定期間（例えば７分）の終了時の湿度検出手段２７による検出湿度Ｈ２を求め、Ｈ２とＨ１との差（Ｈ＝Ｈ２−Ｈ１）が所定の判定値以下のときに、前記上昇速度が所定の上昇速度以下であると判定する。
【００２９】
さらに具体的に説明すると、本実施形態では、検出される空気の絶対湿度Ｈ＝Ｈ２−Ｈ１が、
Ｈ＝−０．０７４３×４０×２×ｅｘｐ（−１５）
以下のときに、湿度検出手段２７によって検出された湿度の上昇速度が所定の上昇速度以下であると判定し、タイマー表示部（時間表示部）３１に３０分を表示し、その後、時間の経過とともにタイマー表示部（時間表示部）３１に表示した残時間（３０分）のカウントダウンを行い、タイマー表示部（時間表示部）３１に表示した残時間がゼロになるまで乾燥運転を継続する。
【００３０】
さらに、本実施形態では、それまで表示されていなかった、タイマー表示部（時間表示部）３１への、乾燥運転の残時間の表示を開始した後に、上記湿度検出用循環加熱運転を実行して、湿度検出手段２７によって検出された湿度の上昇速度が前記所定の上昇速度より大きいと判定したときには、その後、上記湿度検出用循環加熱運転を繰り返し行い、繰り返し行なった上記湿度検出用循環加熱運転中において、湿度検出手段２７によって検出された湿度の上昇速度が所定の上昇速度以下であると判定した時点で、タイマー表示部（時間表示部）３１への、乾燥運転の残時間の更新表示を行なうように構成している。このように構成することで、例えば、浴室内に、濡れた洗濯物などが追加された場合にも、洗濯物や、浴室などの乾燥が不充分になってしまうことが抑制される。
【符号の説明】
【００３１】
１  吸い込み口
２  浴室
３  吹き出し口
５  操作器
１２  グリル板
１３  温風用熱交換器（加熱部）
１４ｂ  換気ファン
１４ａ  循環ファン
１６  熱源機
２７  湿度検出手段
２７ａ  湿度センサ
２９  演算回路
３１  タイマー表示部（時間表示部）
Ａ  浴室乾燥機
Ｂ  制御部
ＴＨ２  暖房温水サーミスタ
ＴＨ３  浴室温度サーミスタ
【図１】
2015188458.tif 000003
【図２】
2015188458.tif 000004
【図３】
2015188458.tif 000005
【図４】
2015188458.tif 000006
【図５】
2015188458.tif 000007
【図６】
2015188458.tif 000008